(57)【要約】【課題】複数のアンテナから受信した信号の利得を１つの制御信号で制御する場合に、受信特性を良くする。【解決手段】複数の無線部２が複数のアンテナ１を介して入力した受信信号の利得を調整して受信信号を出力する。複数の変換手段３が複数の無線部からの信号をデジタル信号に変換する。選択手段４が受信信号が合成復調される際の受信特性を推定し受信特性が良好なデジタル信号の組を選択する。制御手段５が選択されたデジタル信号に変換した変換手段と接続している各無線部の利得を制御する。計算手段６が利得制御後に選択されたデジタル信号を入力して受信特性が良くなるようにデジタル信号ごとに重みを計算する。合成手段７がデジタル信号ごとにデジタル信号とデジタル信号に対応する重みとをかけ算しかけ算後の複数のデジタル信号を合成する。復調手段８が合成されたデジタル信号を復調することによる。【選択図】図１
2005210617.tif 000002
【特許請求の範囲】
【請求項１】
複数のアンテナと、
前記複数のアンテナと１対１に接続している複数の無線部であって、接続しているアンテナを介して入力した受信信号の利得を調整して出力する各無線部からなる複数の無線部と、
前記複数の無線部と１対１に接続している複数の変換手段であって、接続している無線部から出力された受信信号をデジタル信号に変換する各変換手段からなる複数の変換手段と、
複数の前記変換されたデジタル信号から幾つかのデジタル信号を選択してデジタル信号の組を複数個作成し、各組ごとに、含まれているデジタル信号を合成した場合の各受信特性を推定し、該受信特性が良好な一組を選択する選択手段と、
前記選択された組に含まれる各デジタル信号に変換した各変換手段と接続している各無線部へ、前記複数の無線部での各利得の調整を制御する１つの制御信号を出力する制御手段と、
前記制御信号に基づき前記各無線部が利得を調整した場合に、前記選択された組に対応する各変換手段で変換された各デジタル信号を入力して、各デジタル信号ごとに、受信特性が良くなる各重みを計算する重み計算手段と、
前記選択された組に対応する各変換手段で変換された各前記デジタル信号ごとに、該デジタル信号と該デジタル信号に対応する前記重みとをかけ算し、かけ算後の複数のデジタル信号を合成する合成手段と、
前記合成されたデジタル信号を復調する復調手段を具備することを特徴とする無線受信装置。
【請求項２】
前記選択手段は、
複数の前記変換されたデジタル信号の各電力値を測定する測定手段と、
前記各電力値に基づいて、複数の前記変換されたデジタル信号から幾つかのデジタル信号を選択してデジタル信号の組を複数個作成し、各組ごとに、含まれているデジタル信号を合成した場合の各ＳＮＲ（signal-to-noise ratio）を推定し、該ＳＮＲが最大となるデジタル信号の組を前記複数個の組から選択する組選択手段を具備することを特徴とする請求項１に記載の無線受信装置。
【請求項３】
前記組選択手段は、
前記各電力値に基づいて、各前記変換されたデジタル信号の各ＳＮＲを推定する合成前ＳＮＲ推定手段と、
複数の前記変換されたデジタル信号から幾つかのデジタル信号を選択してデジタル信号の組を複数個作成する作成手段と、
各前記組にしたがって各組ごとに、含まれているデジタル信号を合成した場合に、前記推定された各ＳＮＲに基づいて各組ごとに、含まれているデジタル信号を合成した場合の各ＳＮＲを推定する合成後ＳＮＲ推定手段と、
各組ごとに合成した場合の複数の前記ＳＮＲのうち、該ＳＮＲが最大となるデジタル信号の組を複数個の前記組から選択する組選択手段を具備することを特徴とする請求項２に記載の無線受信装置。
【請求項４】
前記作成手段は、値が０でないデジタル信号が１つの組にある数量以上存在するようにデジタル信号の組を作成することを特徴とする請求項３に記載の無線受信装置。
【請求項５】
前記合成前ＳＮＲ推定手段は、
デジタル信号がとりうる複数の電力値に対応する複数のＳＮＲの値を格納している格納手段と、
各前記変換されたデジタル信号の各電力値を入力し、該電力値に対応する値が前記格納手段に有る場合には該電力値に対応するＳＮＲを前記格納手段から取得し、該電力値に対応する値が前記格納手段に無い場合には該値に対応するＳＮＲを前記格納されている電力値及び前記格納されているＳＮＲに基づいて補間して算出する算出手段を具備することを特徴とする請求項３に記載の無線受信装置。
【請求項６】
前記組選択手段は、
ある電力値範囲が複数の領域に分割されていて、各前記変換されたデジタル信号の電力値がどの前記領域に属しているか否かを判定する判定手段と、
前記領域ごとに属しているデジタル信号の数をカウントし、領域ごとに異なる重みを付与し、領域ごとに対応する重みと対応するデジタル信号の数をかけ算して信号集中度として算出する算出手段と、
前記領域ごとに算出された前記信号集中度のうち最も大きい度数を有する領域に属するデジタル信号の組を前記複数個の組から選択する選択手段を具備することを特徴とする請求項２に記載の無線受信装置。
【請求項７】
前記組選択手段は、
複数の前記変換されたデジタル信号から２つのデジタル信号の組を全て抽出しこれら２つのデジタル信号の電力差を全ての組について計算する計算手段と、
該電力差の最も小さい２つのデジタル信号を前記全ての組から抽出し、該抽出された２つのデジタル信号の各電力値からある値だけ離れた範囲に電力値を有するデジタル信号と該抽出された２つのデジタル信号との組を選択する選択手段を具備することを特徴とする請求項２に記載の無線受信装置。
【請求項８】
前記選択手段は、
複数の前記変換されたデジタル信号から２つのデジタル信号の組を全て抽出しこれら２つのデジタル信号間の相関値を全ての組について計算する計算手段と、
全ての組について計算された複数の前記相関値からこれら相関値の平均値を算出し、該平均値に基づいて、複数の前記変換されたデジタル信号から幾つかのデジタル信号を選択して作成したデジタル信号の複数個の組から１つの組を選択する組選択手段を具備することを特徴とする請求項１に記載の無線受信装置。
【請求項９】
前記組選択手段は、前記重み計算手段が、前記抽出されたデジタル信号を合成した場合のＳＮＲ（signal-to-noise ratio）が最大となるように各デジタル信号の重みを計算する場合に、前記平均値が最大になるデジタル信号の組を選択することを特徴とすることを特徴とする請求項８に記載の無線受信装置。
【請求項１０】
前記組抽出手段は、前記重み計算手段が、前記抽出されたデジタル信号を合成した場合のＳＩＲ（signal-to-interference ratio）が最大となるように各デジタル信号の重みを計算する場合に、前記平均値が最小になるデジタル信号の組を選択することを特徴とすることを特徴とする請求項８に記載の無線受信装置。
【請求項１１】
前記制御手段は、
前記選択された組に含まれる全てのデジタル信号の電力値を測定する測定手段と、
測定された複数の前記デジタル信号の電力値のうちの最大電力値及び該最大電力値を有するデジタル信号を決定する決定手段と、
前記最大電力値を有するデジタル信号に対応する無線部から出力された受信信号が前記変換手段で適切にデジタル信号に変換されることが可能なように、該出力された受信信号の振幅を調整するための制御信号を生成し、１つの該制御信号を前記複数の無線部に出力する出力手段を具備することを特徴とする請求項１に記載の無線受信装置。
【請求項１２】
前記制御手段は、
前記選択された組に含まれる全てのデジタル信号の電力値を測定する測定手段と、
測定された複数の前記デジタル信号の電力値の平均値を計算する平均値計算手段と、
前記電力値の平均値の大きさに対応する振幅の大きさを有する無線部から出力された受信信号が前記変換手段で適切にデジタル信号に変換することが可能なように、該出力された受信信号の振幅を調整するための制御信号を生成し、１つの該制御信号を前記複数の無線部に出力する出力手段を具備することを特徴とする請求項１に記載の無線受信装置。
【請求項１３】
前記重み計算手段は、
前記制御信号に基づき前記各無線部の利得を調整した場合に、前記複数の無線部から出力されて変換された複数の前記デジタル信号を入力し、該複数のデジタル信号のうち前記選択手段に選択されなかったデジタル信号には０信号を対応させて該０信号を出力し、該複数のデジタル信号のうち前記選択手段に前記選択されたデジタル信号の組に含まれるデジタル信号はそのまま出力する出力手段と、
前記出力手段から出力される前記０信号及びデジタル信号を入力して該デジタル信号ごとに重みを計算する計算手段を具備することを特徴とする請求項１に記載の無線受信装置。
【請求項１４】
前記重み計算手段は、
重みを計算することが可能なデジタル信号の数が異なる複数の計算手段と、
前記選択された組を入力して、該選択されたデジタル信号の数を算出しこの数に対応する計算手段を前記複数の計算手段から選択し、該選択された計算手段に前記選択された組を出力するデジタル信号出力手段と、
前記選択された組に含まれるデジタル信号の数に対応する計算手段を前記複数の計算手段から選択し、該選択された計算手段から前記選択されたデジタル信号に対応する重みを出力する重み出力手段を具備することを特徴とする請求項１に記載の無線受信装置。
【請求項１５】
ｎ個（ｎ：２以上の自然数）のアンテナを介して入力したｎ個の受信信号の利得を調整して出力するｎ個の無線部と、
前記出力されたｎ個の受信信号をｎ個のデジタル信号に変換するｎ個の変換手段と、
ｎ個の前記変換されたデジタル信号から幾つかのデジタル信号を選択してデジタル信号の組を複数個作成し、各組ごとに、含まれているデジタル信号を合成した場合の各受信特性を推定し、該受信特性が良好な一組を前記複数個の組から選択する選択手段と、
前記選択された組に含まれる各デジタル信号に変換した各変換手段と接続している各無線部へ、前記ｎ個の無線部での各利得の調整を制御する１つの制御信号を出力する制御手段と、
前記制御信号に基づき前記各無線部が利得を調整した場合に、前記選択された組に対応する各変換手段で変換された各デジタル信号を入力して、各デジタル信号ごとに、受信特性が良くなる各重みを計算する重み計算手段と、
前記選択された組に対応する各変換手段で変換された各前記デジタル信号ごとに、該デジタル信号と該デジタル信号に対応する前記重みとをかけ算し、かけ算後の複数のデジタル信号を合成する合成手段と、
前記合成されたデジタル信号を復調する復調手段を具備することを特徴とする無線受信装置。
【請求項１６】
前記選択手段は、
ｎ個の前記デジタル信号の各電力値を測定する測定手段と、
前記各電力値に基づいて、前記ｎ個のデジタル信号から幾つかのデジタル信号を選択してデジタル信号の組を複数個作成し、各組ごとに、含まれているデジタル信号を合成した場合の各ＳＮＲ（signal-to-noise ratio）を推定し、該ＳＮＲが最大となるデジタル信号の組を前記複数個の組から選択する組選択手段を具備することを特徴とする請求項１５に記載の無線受信装置。
【請求項１７】
前記選択手段は、
前記ｎ個のデジタル信号から２つのデジタル信号の組を全て抽出しこれら２つのデジタル信号間の相関値を全ての組について計算する計算手段と、
全ての組について計算された複数の前記相関値からこれら相関値の平均値を算出し、該平均値に基づいて、前記ｎ個のデジタル信号から幾つかのデジタル信号を選択して作成したデジタル信号の複数個の組から１つの組を選択する組選択手段を具備することを特徴とする請求項１５に記載の無線受信装置。
【請求項１８】
前記制御手段は、
前記選択された組に含まれる全てのデジタル信号の電力を測定する測定手段と、
測定された複数の前記デジタル信号の電力値のうちの最大電力値及び該最大電力値を有するデジタル信号を決定する決定手段と、
前記最大電力値を有するデジタル信号に対応する無線部から出力された受信信号が前記変換手段で適切にデジタル信号に変換されることが可能なように、該出力された受信信号の振幅を調整するための制御信号を生成し、１つの該制御信号を前記ｎ個の無線部に出力する出力手段を具備することを特徴とする請求項１５に記載の無線受信装置。
【請求項１９】
前記重み計算手段は、
前記制御信号に基づき前記各無線部の利得を調整した場合に、ｎ個の前記無線部から出力されて変換されたｎ個の前記デジタル信号を入力し、該ｎ個のデジタル信号のうち前記選択手段に選択されなかったデジタル信号には０信号を対応させて該０信号を出力し、該ｎ個のデジタル信号のうち前記選択手段に前記選択されたデジタル信号の組に含まれるデジタル信号はそのまま出力する出力手段と、
前記出力手段から出力される前記０信号及びデジタル信号を入力して該デジタル信号ごとに重みを計算する計算手段を具備することを特徴とする請求項１５に記載の無線受信装置。
【請求項２０】
ｎ個（ｎ：２以上の自然数）のアンテナを介して入力したｎ個の受信信号の利得を調整して出力し、
前記出力されたｎ個の受信信号をｎ個のデジタル信号に変換し、
ｎ個の前記変換されたデジタル信号から幾つかのデジタル信号を選択してデジタル信号の組を複数個作成し、各組ごとに、含まれているデジタル信号を合成した場合の各受信特性を推定し、該受信特性が良好な一組を前記複数個の組から選択し、
前記選択された組に含まれる各デジタル信号に変換される各受信信号の各利得の調整を制御する１つの制御信号を出力し、
前記制御信号に基づき前記各受信信号の各利得の調整が行われた場合に、前記選択された組に対応して変換された各デジタル信号を入力して、各デジタル信号ごとに、受信特性が良くなる各重みを計算し、
前記選択された組に対応して変換された各前記デジタル信号ごとに、該デジタル信号と該デジタル信号に対応する前記重みとをかけ算し、かけ算後の複数のデジタル信号を合成し、
前記合成されたデジタル信号を復調することを特徴とする無線受信方法。
【発明の詳細な説明】
【技術分野】
【０００１】
本発明は、複数のアンテナ素子を有する無線受信装置及び無線受信方法に関し、特に各アンテナ素子に接続している各アンテナ素子の受信信号のゲインを１つの制御信号によって制御する無線受信装置及び無線受信方法に関する。
【背景技術】
【０００２】
一般に、デジタル信号を使って復調を行う受信装置ではＡ／Ｄ変換器が必須となる。一般のＡ／Ｄ変換器ではアナログ信号をデジタル信号に変換することができるアナログ信号の電力範囲がある一定範囲しかない。したがって、一般のＡ／Ｄ変換器はこの電力範囲を超えるようなアナログ信号を適切にデジタル信号に変換することができず、適切にデジタル信号に変換することができないと変換後のデジタル信号は歪を含んでしまう。この歪は受信特性を大幅に劣化させてしまうことが知られている。この歪を発生させないようにして受信特性を良好に保つために、アナログ信号が適切にデジタル信号に変換されるようにＡ／Ｄ変換器への入力信号を適切に利得調整する必要がある。
【０００３】
アンテナ素子が複数ある場合、一般にアンテナ素子が受け取った信号の利得を調整する装置も複数必要になる。この複数の利得調整装置を別々に制御することができる場合には、それぞれの利得調整装置でＡ／Ｄ変換器の入力が適切な値になるように利得を調整すればよい。しかしながら、これら複数の利得調整装置を１つの制御信号で調整しなければならない場合は、それぞれの信号ごとに適切な利得調整値が異なる場合があるため、全ての信号を適切に制御するのは難しくなる。
【０００４】
複数の利得調整装置を１つの制御信号で調整する技術としては、複数のアンテナ素子と複数の利得制御装置を有する受信装置において、全ての利得制御装置を１つの制御信号で制御する受信装置が提案されている（例えば、特許文献１参照）。
【特許文献１】特開２００３−１５２６１１公報
【発明の開示】
【発明が解決しようとする課題】
【０００５】
しかしながら、特許文献１のように、Ａ／Ｄ変換器がアナログ信号をデジタル信号に適切に変換することのできる範囲内にアナログ信号の振幅を抑制すると、抑制のやり方によっては各アンテナ素子が受け取った信号に対応する複数のデジタル信号を合成する際の合成信号の受信特性が悪くなってしまう場合がある。
【０００６】
この具体的な例を１つ挙げる。一般の無線機には受信電力に依存しないノイズフロアが存在するため、ある程度以上に電力があがってもＳＮＲ（signal-to-noise ratio）はあがらなくなる。アンテナ素子のうちある一本が非常に高い電力で、残りのアンテナ素子（ここでは２本以上）の電力がＳＮＲがちょうどあがらなくなる周辺の電力だった場合、最大電力に利得制御を合わせてしまって他のアンテナが使えなくなってしまうよりも、低い電力でも最大電力のものとほとんどＳＮＲがかわらない複数のアンテナに利得制御を合わせてこれを合成した方が特性が良くなる場合がある。
【０００７】
本発明は、上述した従来の技術に鑑み、複数のアンテナから受信した信号の利得を１つの制御信号で制御する場合に、受信特性を良くすることが可能な無線受信装置及び無線受信方法を提供することを目的とする。
【課題を解決するための手段】
【０００８】
本発明の無線受信装置は、複数のアンテナと、前記複数のアンテナと１対１に接続している複数の無線部であって、接続しているアンテナを介して入力した受信信号の利得を調整して出力する各無線部からなる複数の無線部と、前記複数の無線部と１対１に接続している複数の変換手段であって、接続している無線部から出力された受信信号をデジタル信号に変換する各変換手段からなる複数の変換手段と、複数の前記変換されたデジタル信号から幾つかのデジタル信号を選択してデジタル信号の組を複数個作成し、各組ごとに、含まれているデジタル信号を合成した場合の各受信特性を推定し、該受信特性が良好な一組を選択する選択手段と、前記選択された組に含まれる各デジタル信号に変換した各変換手段と接続している各無線部へ、前記複数の無線部での各利得の調整を制御する１つの制御信号を出力する制御手段と、前記制御信号に基づき前記各無線部が利得を調整した場合に、前記選択された組に対応する各変換手段で変換された各デジタル信号を入力して、各デジタル信号ごとに、受信特性が良くなる各重みを計算する重み計算手段と、前記選択された組に対応する各変換手段で変換された各前記デジタル信号ごとに、該デジタル信号と該デジタル信号に対応する前記重みとをかけ算し、かけ算後の複数のデジタル信号を合成する合成手段と、前記合成されたデジタル信号を復調する復調手段を具備することを特徴とする。
【０００９】
また、本発明の無線受信装置は、ｎ個（ｎ：２以上の自然数）のアンテナを介して入力したｎ個の受信信号の利得を調整して出力するｎ個の無線部と、前記出力されたｎ個の受信信号をｎ個のデジタル信号に変換するｎ個の変換手段と、ｎ個の前記変換されたデジタル信号から幾つかのデジタル信号を選択してデジタル信号の組を複数個作成し、各組ごとに、含まれているデジタル信号を合成した場合の各受信特性を推定し、該受信特性が良好な一組を前記複数個の組から選択する選択手段と、前記選択された組に含まれる各デジタル信号に変換した各変換手段と接続している各無線部へ、前記ｎ個の無線部での各利得の調整を制御する１つの制御信号を出力する制御手段と、前記制御信号に基づき前記各無線部が利得を調整した場合に、前記選択された組に対応する各変換手段で変換された各デジタル信号を入力して、各デジタル信号ごとに、受信特性が良くなる各重みを計算する重み計算手段と、前記選択された組に対応する各変換手段で変換された各前記デジタル信号ごとに、該デジタル信号と該デジタル信号に対応する前記重みとをかけ算し、かけ算後の複数のデジタル信号を合成する合成手段と、前記合成されたデジタル信号を復調する復調手段を具備することを特徴とする。
【００１０】
本発明の無線受信方法は、ｎ個（ｎ：２以上の自然数）のアンテナを介して入力したｎ個の受信信号の利得を調整して出力し、前記出力されたｎ個の受信信号をｎ個のデジタル信号に変換し、ｎ個の前記変換されたデジタル信号から幾つかのデジタル信号を選択してデジタル信号の組を複数個作成し、各組ごとに、含まれているデジタル信号を合成した場合の各受信特性を推定し、該受信特性が良好な一組を前記複数個の組から選択し、前記選択された組に含まれる各デジタル信号に変換される各受信信号の各利得の調整を制御する１つの制御信号を出力し、前記制御信号に基づき前記各受信信号の各利得の調整が行われた場合に、前記選択された組に対応して変換された各デジタル信号を入力して、各デジタル信号ごとに、受信特性が良くなる各重みを計算し、前記選択された組に対応して変換された各前記デジタル信号ごとに、該デジタル信号と該デジタル信号に対応する前記重みとをかけ算し、かけ算後の複数のデジタル信号を合成し、前記合成されたデジタル信号を復調することを特徴とする。
【発明の効果】
【００１１】
本発明によれば、複数のアンテナから受信した信号の利得を１つの制御信号で制御する場合に、受信特性を良くすることが可能になる。
【発明を実施するための最良の形態】
【００１２】
以下、図面を参照して本発明の実施形態に係る無線受信装置及び無線受信方法について詳細に説明する。  
本実施形態の無線受信装置の具体的な構成の一例を図１を参照して説明する。図１は、本発明の実施形態に係る無線受信装置のブロック図である。  
本実施形態の無線受信装置は、復調される際の受信特性を推定し受信特性が良好になる受信信号の組を選択し各受信信号の利得を制御し制御後の各受信信号に付与するウェイト（重み）を計算しこれらのウェイトで複数の受信信号を合成するものである。無線受信装置は、図１に示すように、複数のアンテナ素子１（本実施形態ではｎ個のアンテナ素子１があるとする。ｎ：自然数かつｎ≧２）、ｎ個の無線部２、ｎ個のＡ／Ｄ変換器３（analog-to-digital converter）３、素子選択装置４、利得制御装置５、ウェイト計算装置６、合成装置７、及び復調装置８からなる。
【００１３】
アンテナ素子１は、例えば他の無線通信装置及び基地局から送信された信号を受け取り、受け取った信号を無線部２に渡す。無線部２は、アンテナ素子１から渡された信号の利得を調整すると共に、ベースバンド信号に変換する。また、無線部２では、所望のチャネル以外の不要信号成分も除去される。この無線部２は、各アンテナ素子１に対応して１つずつ設けられている。Ａ／Ｄ変換器３は、無線部２から受け取ったベースバンド信号をデジタル信号に変換する。Ａ／Ｄ変換器３も各アンテナ素子１に対応して１つずつ設けられており、Ａ／Ｄ変換器３は無線部２に対応して１つずつ設けられる。すなわち、ｎ個のアンテナ素子１が無線受信装置に設置されている場合には、この無線受信装置はｎ個の無線部２及びｎ個のＡ／Ｄ変換器３を備えている。
【００１４】
素子選択装置４は、各Ａ／Ｄ変換器３から出力されたデジタル信号を受け取り、これらのｎ個のデジタル信号に基づいて合成装置７から出力されて復調装置８で復調される際の受信特性を推定し、この受信特性を良くすると推定されるデジタル信号の幾つかを、ｎ個のＡ／Ｄ変換器３から出力されたｎ個のデジタル信号から選択する。素子選択装置４は、後に図４、図５、及び図６を参照してより詳細に説明される。また、素子選択装置４の変形例を後に図９、図１０、及び図１１を参照して説明する。  
そして、素子選択装置４が選択したデジタル信号がｎ個のＡ／Ｄ変換器３から出力されたデジタル信号のうちのどのデジタル信号であるかを示す情報を素子選択情報として生成する。この素子選択情報は、例えば図２に示したように「０」又は「１」の情報を系列状に各Ａ／Ｄ変換器３に対応して並べた信号である。ここで、例えば「０」は対応するデジタル信号を選択しないことを示し「１」は対応するデジタル信号を選択することを示す。「０」又は「１」の各情報は各Ａ／Ｄ変換器３に対応して信号中に配置されている。すなわち、例えば、素子選択情報の中の第１の情報は第１のＡ／Ｄ変換器３から出力されたデジタル信号が選択されたか否かを示し、第２の情報は第２のＡ／Ｄ変換器３から出力されたデジタル信号が選択されたか否かを示す。図４に示した例では、第１、第３、第４、第５、及び第ｎのＡ／Ｄ変換器３から出力されたデジタル信号が選択されており、第２のＡ／Ｄ変換器３から出力されたデジタル信号が選択されていないことを示している。
【００１５】
利得制御装置５は、素子選択装置４から受け取った素子選択情報に基づいて素子選択装置４が選択したデジタル信号に対応する無線部２がアンテナ素子１から受け取る信号のみの利得を調整するように無線部２を制御する。逆に言えば、利得制御装置５は素子選択装置４が選択しなかったデジタル信号に対応する無線部２に対しては制御を行わない。利得制御装置５は、後に図７を参照してより詳細に説明される。また、利得制御装置５の変形例を後に図１２を参照して説明する。
【００１６】
ウェイト計算装置６は、利得制御装置５が素子選択情報に基づいて無線部２を制御した後にｎ個のＡ／Ｄ変換器３から出力されたデジタル信号のうち素子選択装置４が選択したデジタル信号を素子選択情報により識別しこれらのデジタル信号を取得し、選択されたデジタル信号を合成した合成信号が良い受信特性を持つように選択されたデジタル信号ごとにウェイトを計算する。例えば、合成信号のＳＮＲが最大になるによう各ウェイトを計算する。他に、合成信号に含まれる干渉信号が最小になるように各ウェイトを計算することもある。後者は換言すれば、ＳＩＲ（signal-to-interference ratio）が最大になるように各ウェイトを計算することである。ウェイト計算装置６は、後に図８を参照して詳細に説明される。また、ウェイト計算装置６の変形例を後に図１３を参照して説明する。
【００１７】
合成装置７は、ウェイト計算装置６で計算されたウェイトを使用して、Ａ／Ｄ変換器３から出力されて素子選択装置４により選択されたデジタル信号を合成する。すなわち、選択されたデジタル信号とこのデジタル信号に対応して計算されたウェイトとをかけ算し、このかけ算された値を選択されたデジタル信号全てに対してたし合わせ合成する。
【００１８】
復調装置８は、合成装置７で合成されたデジタル信号を復調する。
【００１９】
次に、図１を参照して説明した本実施形態の無線受信装置の動作の一例を図３を参照して説明する。  
まず、ｎ個（ｎ≧２、ｎは自然数）のアンテナ素子１が信号を受け取り各アンテナ素子１に１対１に接続している無線部２に信号を出力する。各無線部２が受け取った信号の利得を調整しベースバンド信号に変換した後、このベースバンド信号をＡ／Ｄ変換器３に出力する。Ａ／Ｄ変換器３はベースバンド信号をデジタル信号に変換し、素子選択装置４、利得制御装置５、ウェイト計算装置６、及び合成装置７に出力する（ステップＳ１）。
【００２０】
次に、素子選択装置４が、各Ａ／Ｄ変換器３からデジタル信号を受け取り、これらｎ個のデジタル信号に基づいて合成装置７から出力されて復調装置８で復調される際の受信特性を推定する（ステップＳ２）。そして、素子選択装置４が、各Ａ／Ｄ変換器３から出力された合計ｎ個のデジタル信号からこの受信特性を良くすると推定されるデジタル信号を選択する（ステップＳ３）。
【００２１】
利得制御装置５が選択されたデジタル信号に対応する無線部２に制御信号を出力し、各無線部２は接続しているアンテナ素子１から受け取った信号の利得を利得制御装置５からの指示によって調整する（ステップＳ４）。ウェイト計算装置６は、利得が調整されてＡ／Ｄ変換器３から出力されるデジタル信号を合成する際の各デジタル信号にかけ算するウェイトを計算する（ステップＳ５）。ウェイト計算装置６がウェイトを計算する場合、合成信号が良い受信特性を持つように、選択されたデジタル信号ごとにウェイトを計算する。例えば、合成信号のＳＮＲ又は合成信号のＳＩＲが最大になるように各ウェイトを計算する。
【００２２】
合成装置７は、Ａ／Ｄ変換器３から出力されて素子選択装置４により選択されたデジタル信号をステップＳ５で計算されたウェイトにしたがって合成する（ステップＳ６）。復調装置８が合成装置７で合成された合成信号を復調する（ステップＳ７）。
【００２３】
次に、図１の素子選択装置４を図４、図５、及び図６を参照して説明する。  
素子選択装置４は、電力測定装置４１及びＳＮＲ最大化素子選択装置４２からなる。電力測定装置４１は、各Ａ／Ｄ変換器３が出力した合計でｎ個のデジタル信号を入力し、各デジタル信号の電力を測定する。ＳＮＲ最大化素子選択装置４２は、電力測定装置４１が出力した各デジタル信号の電力から幾つかのデジタル信号の組を作成し、この組のデジタル信号を合成した場合の合成後のＳＮＲを推定する。そして、ＳＮＲ最大化素子選択装置４２は、合成後のＳＮＲが最大になるデジタル信号を選択し、この選択した情報を素子選択情報として出力する。
【００２４】
本実施形態の無線受信装置も含めて一般の無線機では、各Ａ／Ｄ変換器３が出力した信号の電力とこの信号のＳＮＲには高い相関があるため、信号の電力からこの信号のＳＮＲを推定することができる。また、一般にｎ個のＡ／Ｄ変換器３から出力された各信号に重畳されているノイズは互いに無相関であることと、これら各信号からノイズを除いた純粋な信号成分については相関が非常に高いことを用いると、ｎ個のＡ／Ｄ変換器３から出力された各信号を合成した後の合成信号のＳＮＲについても推定することができる。この合成信号のＳＮＲは合成信号の受信特性と非常に相関が高いので、上述したようにＳＮＲを参照して比較することにより、より良好な受信特性を見つけ出すことができる。
【００２５】
次に、図４のＳＮＲ最大化素子選択装置４２を図５を参照して説明する。  
上述したＳＮＲ最大化素子選択装置４２は、ＳＮＲ推定装置４２１、組合せ作成装置４２２、合成後ＳＮＲ推定装置４２３、及び最大組合せ選択装置４２４を備えている。ＳＮＲ推定装置４２１は、電力測定装置４１が出力した、各Ａ／Ｄ変換器３からの合計ｎ個のデジタル信号のそれぞれの電力を入力して、各デジタル信号のＳＮＲを推定する。そして、ＳＮＲ推定装置４２１は各デジタル信号の推定したＳＮＲを合成後ＳＮＲ推定装置４２３に出力する。
【００２６】
一方、組合せ作成装置４２２は、ｎ個のＡ／Ｄ変換器３から出力されるｎ個のデジタル信号のうちから幾つかを選択して組合せを合成後ＳＮＲ推定装置４２３に出力する。組合せ作成装置４２２は、ｎ個のデジタル信号の全ての組合せ、すなわち２のｎ乗通りの組合せを全て出力してもよいが、全ての組合せのうち、選択されているデジタル信号の個数がある一定値よりも大きい組合せだけ出力することもできる。例えば、ｎ＝４の場合は、全ての組合せは１６通りであるが、選択されているデジタル信号の数が３つ以上の組合せに限定すると、選択されているデジタル信号を１、選択されていないデジタル信号を０で表現すると、組合せ作成装置４２２は「０１１１」「１０１１」「１１０１」「１１１０」「１１１１」の５通りの組合せだけを出力することになる。通常は素子選択装置４が選択するデジタル信号の数は多い方が合成後の受信特性は良くなる場合が多いため、このように、組合せ作成装置４２２が選択されているデジタル信号の数をある数以上に限定して組合せを計算しても受信特性が最も良いデジタル信号の組合せを取りこぼすことはほとんどない。このように、組合せ作成装置４２２が選択されているデジタル信号の数をある数以上に限定して組合せを計算すれば、組合せ作成装置４２２の計算量を減らすことができるので、本実施形態の無線受信装置の処理負荷を減らすことができ、この無線受信装置の処理速度を速くすることが可能になる。
【００２７】
合成後ＳＮＲ推定装置４２３は、組合せ作成装置４２２で作成された組合せとＳＮＲ推定装置４２１で推定されたｎ個のデジタル信号のＳＮＲとを入力して、デジタル信号の組合せにしたがってこの組合せで合成した合成信号のＳＮＲを推定する。そして、組合せとこの組合せの合成信号のＳＮＲとを出力する。最大組合せ選択装置４２４は、合成後ＳＮＲ推定装置４２３から入力した複数の合成信号のＳＮＲのうち、最大のＳＮＲを有する組合せを選択する。最大組合せ選択装置４２４は、この最大のＳＮＲを有する組合せを素子選択情報として出力する。
【００２８】
次に、図５のＳＮＲ推定装置４２１を図６を参照して説明する。  
図５を参照して説明したＳＮＲ推定装置４２１は、テーブル４２１１及び補間装置４２１２を備えている。一般の無線機では、ある信号の電力とこの信号のＳＮＲには高い相関があるためある信号の電力に対応するこの信号のＳＮＲを推定することができる。そこで、テーブル４２１１は複数の電力値に対応する複数のＳＮＲの値を格納している。このテーブル４２１１に格納されている複数の電力値は、電力測定装置４１から出力されると想定される電力値の近傍範囲に含まれていることが望ましい。テーブル４２１１は、例えば電力測定装置４１が出力した電力値を含んでいた場合にはこの電力値に対応するＳＮＲを出力し、それ以外の場合は、テーブル４２１１に含まれる情報を補間装置４２１２に出力する。補間装置４２１２はテーブル４２１１が有する離散的な電力値を補間して入力した電力値に対応するＳＮＲを計算する。
【００２９】
補間装置４２１２は、電力測定装置４１からｎ個の電力値を入力し、電力値ごとにテーブル４２１１を参照してこの電力値に対応するＳＮＲを計算する。電力測定装置４１から入力した電力値がテーブル４２１１に格納されている電力値とほぼ同じ値である場合は、この電力値に対応するテーブル４２１１に格納されているＳＮＲをこの電力値のＳＮＲであるとしてＳＮＲを決定する。しかし、電力測定装置４１から入力した電力値がテーブル４２１１に必ず有るとは限らず、電力測定装置４１から入力した電力値がテーブル４２１１に無い場合は、補間装置４２１２がテーブル４２１１に格納されている複数の電力値及び複数のＳＮＲに基づいてこれらの値を補間し、電力測定装置４１から入力した電力値に対応するＳＮＲを求める。すなわち、電力測定装置４１から入力した電力値がテーブル４２１１に無い場合は、テーブル４２１１に格納されている複数の電力値及び複数のＳＮＲから、入力した電力値がテーブル４２１１に格納されている複数の電力値の範囲内である場合は内挿によってその電力値に対応するＳＮＲを求める。一方、入力した電力値がテーブル４２１１に格納されている複数の電力値の範囲外の場合は外挿によってその電力値に対応するＳＮＲを求める。また、補間装置４２１２が、テーブル４２１１が格納している複数の電力値とこれら電力値に対応する複数のＳＮＲとから、これらの値を補間して電力値とＳＮＲの関係を示す連続的な関数を求めて、この関数に基づいて電力測定装置４１から入力した電力値に対応するＳＮＲを求めてもよい。
【００３０】
上述した素子選択装置４によって選択されたデジタル信号を示す素子選択情報は、利得制御装置５に入力される。利得制御装置５を図７を参照して詳細に説明する。
【００３１】
利得制御装置５は、電力測定装置５１、最大電力判定装置５２、及び制御値換算装置５３からなる。電力測定装置５１は、図４を参照して説明した素子選択装置４に含まれる電力測定装置４１と基本的に同様であるが、素子選択装置４から受け取った素子選択情報にあるデジタル信号のみの電力を測定することが電力測定装置４１とは異なる。また、電力測定装置４１で測定した電力値をメモリ（図示せず）に格納し、電力測定装置５１が選択素子情報にあるデジタル信号に対応する電力値をメモリから抽出してもよい。
【００３２】
最大電力判定装置５２は、電力測定装置５１が測定した複数の電力値のうち最大の電力値を求め、出力する。制御値換算装置５３は、最大電力判定装置５２で求められた最大電力値を有するデジタル信号に対応する無線部２からの信号がＡ／Ｄ変換器３に入力される際にＡ／Ｄ変換器３が適切にＡ／Ｄ変換することが可能な振幅レベルになるように指示するための利得制御信号を無線部２に出力する。この利得制御信号は、図１に示したように、ほぼ同時に全ての無線部２に出力される。このように、最大の電力値を有する信号に対応する信号の振幅値を制御することで、無線部２から出力されて素子選択装置４により選択される信号は全てＡ／Ｄ変換器３にとって適切な値に制御することができる。換言すれば、選択された信号全てをＡ／Ｄ変換器３のダイナミックレンジ内に収めることができる。したがって、Ａ／Ｄ変換器３からのデジタル信号も適切な電力値に制御することができる。
【００３３】
利得制御された後のＡ／Ｄ変換器３から出力されるデジタル信号は図１に示したウェイト計算装置６に入力され、ウェイト計算装置６が選択されたデジタル信号ごとにウェイトを計算する。ウェイト計算装置６の詳細を図８を参照して説明する。
【００３４】
ウェイト計算装置６は、非選択素子０（ゼロ）化装置６１、０（ゼロ）信号出力装置６２、スイッチ６３、及びｎ素子ウェイト計算装置６４からなる。非選択素子０化装置６１は、素子選択装置４からの素子選択情報を入力してｎ系統のデジタル信号のうち、どのデジタル信号を入力してどのデジタル信号を入力しないかを判定し、この判定結果を各デジタル信号に対応して出力する。０信号出力装置６２は、０信号を出力する装置である。  
スイッチ６３は、非選択素子０化装置６１からの判定結果に基づいて、利得調整後のＡ／Ｄ変換器３から出力されたデジタル信号をｎ素子ウェイト計算装置６４に渡すか否かを切り換える。すなわち、非選択素子０化装置６１からの判定結果がデジタル信号を入力する結果であった場合（選択されている場合）にはこのデジタル信号をｎ素子ウェイト計算装置６４に出力し、非選択素子０化装置６１からの判定結果がデジタル信号を入力しない結果であった場合（選択されていない場合）には対応する０信号出力装置６２からゼロ信号をｎ素子ウェイト計算装置６４に出力する。
【００３５】
ｎ素子ウェイト計算装置６４は、ｎ素子のウェイトを計算する。上述したようにｎ素子ウェイト計算装置６４は選択されたデジタル信号を合成した合成信号が良い受信特性を持つように選択されたデジタル信号ごとに受信特性が良くなるようなウェイトを計算する。ｎ素子ウェイト計算装置６４は、選択素子情報によらず常に同様な処理を行う。図８のウェイト計算装置６では、選択されていないデジタル信号にはゼロ信号をｎ素子ウェイト計算装置６４に入力するだけであり、選択素子情報を考慮したウェイト計算をする必要がない。他のウェイト計算装置６の例は図１３を参照して後述される。  
その後、合成装置７がウェイト計算装置６で計算されたウェイトと、このウェイトに対応するデジタル信号をかけ算し、かけ算したデジタル信号を全て合成して、復調装置８がこの合成された信号を復調する。
【００３６】
以上説明したように、本実施形態の無線受信装置によれば、復調される際の受信特性を推定してこの受信特性を良くするデジタル信号を選択して無線部が出力する受信信号の利得を調整するので、受信特性の良い状態で信号を復調することが可能になる。
【００３７】
以下、図４の素子選択装置４、素子選択装置４に含まれる図５のＳＮＲ最大化素子選択装置４２、図７の利得制御装置５、及び図８のウェイト計算装置６の各変形例を図９から図１３までを参照して説明する。
【００３８】
（素子選択装置４の変形例）  
素子選択装置４の変形例は、図９に示したように、素子間相関計算装置４３及び相関平均値最大／最小化素子選択装置４４からなる。素子間相関計算装置４３は、ｎ個のＡ／Ｄ変換器３から出力されたｎ個のデジタル信号の相関値を計算する。すなわち、ｎ個のデジタル信号から２つのデジタル信号を１組とするすべての組を選択し、これら組ごとにこの組の２つの信号の相関値を計算する。例えば、ｎ＝３の場合は、３個のデジタル信号をそれぞれ第１デジタル信号、第２デジタル信号、及び第３デジタル信号とすると、（第１デジタル信号、第２デジタル信号）、（第１デジタル信号、第３デジタル信号）、（第２デジタル信号、第３デジタル信号）の３つの組がある。これら３組ごとに相関値を計算する。
【００３９】
相関平均値最大／最小化素子選択装置４４は、素子間相関計算装置４３で計算された相関値の平均値を計算し、この平均値が最大又は最小になるデジタル信号を選択する。ここで、選択するデジタル信号の最小個数は２以上であると定めておいてもよい。相関値の平均値が最大となるデジタル信号を選択するか、若しくは相関値の平均値が最小となるデジタル信号を選択するかは無線受信装置が望む受信特性によって異なる。ウェイト計算装置６が最大比合成により各デジタル信号のウェイトを計算する場合は相関平均値最大／最小化素子選択装置４４は、相関値の平均値の最大となるデジタル信号を選択する。一方、無線受信装置がＭＩＭＯ（Multi-Input Multi-Output）システムの受信装置として使用される場合は相関平均値最大／最小化素子選択装置４４は、相関値の平均値の最小となるデジタル信号を選択する。ここで、最大比合成は、合成装置７で合成される合成信号のＳＮＲが最大となるようにウェイト計算装置６が各デジタル信号のウェイトを計算することである。また、ＭＩＭＯシステムは、異なるデータ系列を同一周波数で複数アンテナから並列送信することにより通信容量（ｂｐｓ／Ｈｚ）を飛躍的に高めるためのものである。このＭＩＭＯシステムでは、合成装置７で合成される合成信号のＳＩＲが最大となるようにウェイト計算装置６が各デジタル信号のウェイトを計算する。また、ＭＩＭＯシステムでは、アンテナ素子１ごとに対応する各デジタル信号同士は相関値が小さい方が異なるデータに対応するため好ましい。  
（ＳＮＲ最大化素子選択装置４２の変形例）  
ＳＮＲ最大化素子選択装置４２の変形例は、図１０に示したように、領域判定装置４２５、信号集中度判定装置４２６、及び最大領域素子選択装置４２７からなる。領域判定装置４２５は、電力測定装置４１で測定される際に得られるであろう電力値範囲を予め複数の領域に分割して、電力測定装置４１から入力した各デジタル信号の各電力値がどの領域に属しているかを判定する。
【００４０】
信号集中度判定装置４２６は、各領域に属するデジタル信号の個数をカウントし、この個数に領域ごとに重みをかけた値を信号集中度として出力する。例えば、電力値範囲を３つの領域に分割しそれぞれ０．５、０．８、１．０の重みを付与し、それぞれの領域にデジタル信号が１個、２個、３個属している場合は、各領域の信号集中度はそれぞれ０．５×１＝０．５、０．８×２＝１．６、１．０×３＝３．０になる。このように、各領域に属する個数に重みをかけた値を信号集中度とすることによって、電力値範囲が狭い領域や電力値が高い領域などに重みを置くことができる。
【００４１】
最大領域素子選択装置４２７は、信号集中度判定装置４２６から入力した信号集中度が最も大きい領域を決定し、この領域に属するデジタル信号を選択し、どのデジタル信号を選択したかを素子選択情報として出力する。これに限らず、例えば、信号集中度が最大と第２番目に大きい領域に属するデジタル信号を選択してもよい。他に、信号集中度が最大である領域が示す電力値以下の領域に属するデジタル信号を選択するという手法もある。  
複数の信号を同一の制御信号を使って無線部２を制御する場合、同時にＡ／Ｄ変換器３にとって適切な利得に電力差が大きい信号を調整することは難しいが、このように、比較的電力が同じデジタル信号が集まっている領域を検出しこれらのデジタル信号を選択すると、合成装置７が合成する合成信号のＳＮＲが高くなると期待することができる。
【００４２】
ＳＮＲ最大化素子選択装置４２の別の変形例を図１１を参照して説明する。図１１のＳＮＲ最大化素子選択装置４２は、電力差判定装置４２８及び周辺領域素子選択装置４２９からなる。電力差判定装置４２８は、電力測定装置４１から入力したｎ個のデジタル信号の電力値から２つの電力値を全て抽出し全ての組の電力値の差を計算する。周辺領域素子選択装置４２９は、電力差判定装置４２８から全ての組の電力値の差を入力しこの電力値差の最も小さい２つのデジタル信号を選択し、これら２つの信号を基準としてこれらのデジタル信号から予め定めたある値だけ離れた範囲に電力値を有するデジタル信号を選択する。そして、周辺領域素子選択装置４２９は、電力値差の最も小さい２つのデジタル信号と、ある範囲内に電力値を有するデジタル信号（通常は複数ある）とが選択されたデジタル信号であるという情報を含んだ素子選択情報を出力する。
【００４３】
このように、電力値が比較的同じデジタル信号が集まっている場合、これらのデジタル信号間の電力差は小さくなると考えられる。そのため、電力値差が小さい２つのデジタル信号の電力に近いデジタル信号を選択することによっても、合成信号のＳＮＲが高くなると期待することができる。
【００４４】
（利得制御装置５の変形例）  
利得制御装置５の変形例は、図１２に示したように、電力測定装置５１、平均電力計算装置５４、制御値換算装置５５からなる。電力測定装置５１は、図７に示した利得制御装置５の構成要素と同様であるのでこの詳細な説明を省略する。平均電力計算装置５４は電力測定装置５１で測定された複数の電力値の平均値を求め、この平均値を制御値換算装置５５に出力する。制御値換算装置５５は、平均電力計算装置５４で求められた平均電力値を有するデジタル信号に対応する無線部２からの信号がＡ／Ｄ変換器３に入力される際にＡ／Ｄ変換器３が適切にＡ／Ｄ変換することが可能な振幅レベルになるように指示するための利得制御信号を無線部２に出力する。この利得制御信号は、図１に示したように、ほぼ同時に全ての無線部２に出力される。このように、平均電力値を有する信号に対応する信号の振幅値を制御することで、無線部２から出力されて素子選択装置４により選択されるデジタル信号は、素子選択装置４が適切なデジタル信号を選択することができなかった場合にも受信特性の大きな劣化を防ぐことができる。
【００４５】
なお、利得制御装置５が、図７や図１２のようにデジタル信号の電力値を測定し、この電力値を用いて制御信号を計算する場合に、はじめに利得制御信号を適切な値まで下げることで電力の測定をより正確に行うことができる。
【００４６】
（ウェイト計算装置６の変形例）  
ウェイト計算装置６の変形例は、図１３に示したように、信号選択装置６５、ｋ（ｋ＝２、３、・・・ｎ−１、ｎ）素子ウェイト計算装置６６、及びウェイト選択装置６７からなる。信号選択装置６５は、素子選択情報を入力してこの素子選択情報から素子選択装置４が選択したデジタル信号を選択されたデジタル信号の個数に対応するｋ素子ウェイト計算装置６６に出力する。選択された個数に対応するｋ素子ウェイト計算装置６６が無い場合は、このデジタル信号の個数よりも大きい個数に対応するｋ素子ウェイト計算装置６６の中で、最も小さい個数に対応するｋ素子ウェイト計算装置６６に選択された全てのデジタル信号を出力する。出力する際、足りないデジタル信号分については０信号を出力する。また、信号選択装置６５は、この他の使用していないｋ素子ウェイト計算装置６６には何の信号も出力しない。
【００４７】
ｋ素子ウェイト計算装置６６は、ｋ素子のウェイトを計算する。上述したようにｋ素子ウェイト計算装置６６は選択されたデジタル信号を合成した合成信号が良い受信特性を持つように選択されたデジタル信号ごとに受信特性が良くなるようなウェイトを計算する。
【００４８】
ウェイト選択装置６７は、ｋ素子ウェイト計算装置６６から出力されたウェイトのうち、選択素子情報で選択されているデジタル信号の個数に対応するｋ素子ウェイト計算装置６６から入力されたウェイトを選択し出力する。選択された個数に対応するｋ素子ウェイト計算装置６６が無い場合は、この個数よりも大きい個数に対応するｋ素子ウェイト計算装置６６の中で、最も小さい個数に対応するｋ素子ウェイト計算装置６６から入力されたウェイトを選択し出力する。この変形例は、図８の変形例よりも構成は複雑になるが、選択されたデジタル信号の個数に最適なｋ素子ウェイト計算装置６６を使用してウェイトを計算しｋ素子ウェイト計算装置６６は選択されたデジタル信号の個数に対応する専用アルゴリズムを有していてより精度を高めることができるため、より正確なウェイトを求めることができる。
【００４９】
なお、本実施形態で電力と記述されている箇所はすべて平均振幅、クリッピング数で置き換えて解釈することができる。平均振幅は電力の平方根に比例するので電力と同等に扱うことができる。クリッピング数は、Ａ／Ｄ変換器の最小値又は最大値をとるサンプル数を示し、一般に電力が上がるほどクリッピング数が多くなるため電力と同等に扱うことができる。
【００５０】
なお、本実施形態で電力を測定している装置（例えば電力測定装置４１、電力測定装置５１）への入力信号は、そのデジタル信号のＡ／Ｄ変換される直前の信号で置き換えることができる。この場合、電力を測定している装置はアナログ信号を入力してこの信号の電力をデジタル信号として出力する装置に置き換える。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５２】
【図１】本発明の実施形態に係る無線受信装置のブロック図。
【図２】図４の素子選択装置から出力される素子選択情報の例を示した図。
【図３】本発明の実施形態に係る無線受信装置の動作の一例を示すフローチャート。
【図４】図１の素子選択装置のブロック図。
【図５】図４のＳＮＲ最大化素子選択装置のブロック図。
【図６】図５のＳＮＲ推定装置のブロック図。
【図７】図１の利得制御装置のブロック図。
【図８】図１のウェイト計算装置のブロック図。
【図９】図１の素子選択装置の変形例を示すブロック図。
【図１０】図４のＳＮＲ最大化素子選択装置の第１の変形例を示すブロック図。
【図１１】図４のＳＮＲ最大化素子選択装置の第２の変形例を示すブロック図。
【図１２】図１の利得制御装置の変形例を示すブロック図。
【図１３】図１のウェイト計算装置の変形例を示すブロック図。
【符号の説明】
【００５３】
１・・・アンテナ素子、２・・・無線部、３・・・Ａ／Ｄ変換器、４・・・素子選択装置、５・・・利得制御装置、６・・・ウェイト計算装置、７・・・合成装置、８・・・復調装置、４１・・・電力測定装置、４２・・・ＳＮＲ最大化素子選択装置、４３・・・素子間相関計算装置、４４・・・相関平均値最大／最小化素子選択装置、５１・・・電力測定装置、５２・・・最大電力判定装置、５３・・・制御値換算装置、５４・・・平均電力計算装置、５５・・・制御値換算装置、６１・・・非選択素子０化装置、６２・・・０信号出力装置、６３・・・スイッチ、６４・・・ｎ素子ウェイト計算装置、６５・・・信号選択装置、６６・・・ｋ素子ウェイト計算装置、６７・・・ウェイト選択装置、４２１・・・ＳＮＲ推定装置、４２２・・・組合せ作成装置、４２３・・・合成後ＳＮＲ推定装置、４２４・・・最大組合せ選択装置、４２５・・・領域判定装置、４２６・・・信号集中度判定装置、４２７・・・最大領域素子選択装置、４２８・・・電力差判定装置、４２９・・・周辺領域素子選択装置、４２１１・・・テーブル、４２１２・・・補間装置
【図１】
2005210617.tif 000003
【図２】
2005210617.tif 000004
【図３】
2005210617.tif 000005
【図４】
2005210617.tif 000006
【図５】
2005210617.tif 000007
【図６】
2005210617.tif 000008
【図７】
2005210617.tif 000009
【図８】
2005210617.tif 000010
【図９】
2005210617.tif 000011
【図１０】
2005210617.tif 000012
【図１１】
2005210617.tif 000013
【図１２】
2005210617.tif 000014
【図１３】
2005210617.tif 000015